(57)【要約】【課題】  比較的簡単な構成で分解・組立ができ、十分な機械的強度を得ることができると共に、多少の寸法誤差や歪みが存在しても、簡単に組み立てることが可能なラックを提供すること。【解決手段】  複数個の柱部材側開口部を備えた複数本の柱部材と、上記柱部材に着脱可能に取り付けられ取付対象物を支持する支持構造物と、上記支持構造物に取り付けられた上記柱部材側開口部に差し込まれる差込片を備えると共に取付金具側開口部を備えた取付金具と、上記取付金具側開口部とそれに対応する上記柱部材側開口部に差し込まれて係合することにより上記支持構造物の上記柱部材からの離脱を防止するロック部材と、を具備したもの。【選択図】  図２
2005296183.tif 000002
【特許請求の範囲】
【請求項１】
複数個の柱部材側開口部を備えた複数本の柱部材と、
上記柱部材に着脱可能に取り付けられ取付対象物を支持する支持構造物と、
上記支持構造物に取り付けられ上記柱部材側開口部に差し込まれる差込片を備えると共に取付金具側開口部を備えた取付金具と、
上記取付金具側開口部とそれに対応する上記柱部材側開口部に差し込まれて係合することにより上記支持構造物の上記柱部材からの離脱を防止するロック部材と、
を具備したことを特徴とするラック。
【請求項２】
請求項１記載のラックにおいて、
上記差込片は上記柱部材側開口部に対して上下方向に移動可能な状態で差し込まれるように構成されていて、差し込まれた後柱部材側開口部の下縁に係合する係合部を備えていることを特徴とするラック。
【請求項３】
請求項１又は請求項２記載のラックにおいて、
上記ロック部材は円弧状に形成された差込部と、該差込部より延長された操作部とから構成されていて、上記差込部を上記取付金具側開口部とそれに対応する上記柱部材側開口部に差し込んだ後、操作部を介して９０°回転させることにより、上記差込部の両端に設けられた係合部を柱部材側開口部の縁に係合させるものであることを特徴とするラック。
【請求項４】
請求項１〜請求項３の何れかに記載のラックにおいて、
上記柱部材側開口部は柱部材の長手方向に所定ピッチで形成されていると共に左右二列にわたって形成されていることを特徴とするラック。
【請求項５】
請求項１記載のラックにおいて、
上記取付対象物は棚又はキャビネットであり、該棚又はキャビネットを支持する支持構造物は、上記棚又はキャビネットを下方から支持する一対の前方張出部材から構成されていて、それら一対の前方張出部材の基端部に取付金具が取り付けられていることを特徴とするラック。
【請求項６】
請求項１記載のラックにおいて、
上記取付対象物はキャビネットであり、該キャビネットを支持する支持構造物はキャビネットの背面側上端部に取り付けられる支持板であり、該支持板に取付金具が取り付けられていて、上記キャビネットの背面側下端部には別の取付金具が取り付けられていることを特徴とするラック。
【発明の詳細な説明】
【技術分野】
【０００１】
本発明はラックに係り、特に、簡単な構成で分解・組立ができ、十分な機械的強度を得ることができると共に、多少の寸法誤差や歪みがあっても分解・組立性能が損なわれることがないように工夫したものに関する。
【背景技術】
【０００２】
この種のラックの構成を開示するものとして、例えば、特許文献１がある。
【０００３】
【特許文献１】特開２００１−２５８６５８号公報
【０００４】
上記特許文献１に開示されているラックは、概略、次のような構成になっている。まず、一対の縦部材があり、これら一対の縦部材間に、棚板が棚板支持部材によって支持された状態で設置されている。上記棚板支持部材は、挟着部材を介して上記縦部材に取り付けられているものである。
【発明の開示】
【発明が解決しようとする課題】
【０００５】
上記従来の構成によると次のような問題があった。
まず、棚を支持する支持部材の取付構造が複雑であって、分解・組立作業に困難を要してしまうという問題があった。特に、この種のラックの場合には、各部の寸法誤差や歪み等があり、それらが原因して、「ガタツキ」が発生したり、分解・組立作業をさらに困難なものにしているという問題があった。
【０００６】
本発明はこのような点に基づいてなされたものでその目的とするところは、比較的簡単な構成で分解・組立ができ、十分な機械的強度を得ることができると共に、多少の寸法誤差や歪みが存在しても、分解・組立性能が損なわれることがないラックを提供することにある。
【課題を解決するための手段】
【０００７】
上記目的を達成するべく本願発明の請求項１によるラックは、複数個の柱部材側開口部を備えた複数本の柱部材と、上記柱部材に着脱可能に取り付けられ取付対象物を支持する支持構造物と、上記支持構造物に取り付けられ上記柱部材側開口部に差し込まれる差込片を備えると共に取付金具側開口部を備えた取付金具と、上記取付金具側開口部とそれに対応する上記柱部材側開口部に差し込まれて係合することにより上記支持構造物の上記柱部材からの離脱を防止するロック部材と、を具備したことを特徴とするものである。
又、請求項２によるラックは、請求項１記載のラックにおいて、上記差込片は上記柱部材側開口部に対して上下方向に移動可能な状態で差し込まれるように構成されていて、差し込まれた後柱部材側開口部の下縁に係合する係合部を備えていることを特徴とするものである。
又、請求項３によるラックは、請求項１又は請求項２記載のラックにおいて、  上記ロック部材は円弧状に形成された差込部と、該差込部より延長された操作部とから構成されていて、上記差込部を上記取付金具側開口部とそれに対応する上記柱部材側開口部に差し込んだ後、操作部を介して９０°回転させることにより、上記差込部の両端に設けられた係合部を柱部材側開口部の縁に係合させるものであることを特徴とするものである。
又、請求項４によるラックは、請求項１〜請求項３の何れかに記載のラックにおいて、上記柱部材側開口部は柱部材の長手方向に所定ピッチで形成されていると共に左右二列にわたって形成されていることを特徴とするものである。
又、請求項５によるラックは、請求項１記載のラックにおいて、上記取付対象物は棚又はキャビネットであり、該棚又はキャビネットを支持する支持構造物は、上記棚又はキャビネットを下方から支持する一対の前方張出部材から構成されていて、それら一対の前方張出部材の基端部に取付金具が取り付けられていることを特徴とするものである。
又、請求項６によるラックは、請求項１記載のラックにおいて、上記取付対象物はキャビネットであり、該キャビネットを支持する支持構造物はキャビネットの背面側上端部に取り付けられる支持板であり、該支持板に取付金具が取り付けられていて、上記キャビネットの背面側下端部には別の取付金具が取り付けられていることを特徴とするものである。
【発明の効果】
【０００８】
以上述べたように本願発明によるラックによると、複数個の柱部材側開口部を備えた複数本の柱部材と、上記柱部材に着脱可能に取り付けられ取り付け対象物を支持する支持構造物と、上記支持構造物に取り付けられ上記柱部材側開口部に差し込まれる差込片を備えると共に取付金具側開口部を備えた取付金具と、上記取付金具側開口部とそれに対応する上記柱部材側開口部に差し込まれて係合することにより上記支持構造物の上記柱部材からの離脱を防止するロック部材と、を具備した構成になっているので、比較的簡単な構成で分解・組立が可能な所望のラックを得ることができる。
又、上記差込片を上記柱部材側開口部に対して上下方向に移動可能な状態で差し込まれるように構成して、差し込まれた後柱部材側開口部の下縁に係合する係合部を備えた構成にした場合には、寸法誤差や歪みがあっても所望の分解・組立が可能になる。
又、上記ロック部材を円弧状に形成された差込部と、該差込部より延長された操作部とから構成して、上記差込部を上記取付金具側開口部とそれに対応する上記柱部材側開口部に差し込んだ後、操作部を介して９０°回転させることにより、上記差込部の両端に設けられた係合部を柱部材側開口部の縁に係合させるものとした場合には、それによって、分解・組立作業の作業性を向上させることができる。
又、記柱部材側開口部を柱部材の長手方向に所定ピッチで形成されていると共に左右二列にわたって形成した場合には、同様の構成を左右に連接する場合の組立パターンの多様化を図ることができる。
又、取付対象物としては、例えば、棚やキャビネット等があり、それらにたいして効果的に対応することができる。
【発明を実施するための最良の形態】
【０００９】
以下、図１乃至図４を参照して本発明の第１の実施の形態を説明する。図１は本実施の形態によるラックの全体構成を示す斜視図である。まず、柱部材１、１がある。柱部材１は、Ｌ字形状をなす柱部材本体３と、この柱部材本体３の上端部に取り付けられた転倒防止具５等から構成されている。又、上記柱部材本体３は、図２に示すように、中空状になっている。  
【００１０】
上記柱部材本体３は、鉛直部７と、この鉛直部７の下端に連設された水平部９とから構成されていて、これら鉛直部７と水平部９とによってＬ字を構成している。上記鉛直部７は、長手方向に二分割されていて、下部鉛直部７ａと上部鉛直部７ｂとから構成されている。下部鉛直部７ａの上端には図示しないインナースリーブが突設されていて、このインナースリーブの外側に上記上部鉛直部７ｂを差し込んで連結しているものである。又、上記鉛直部７には、上下方向に所定のピッチで、且つ、左右に二列にわたって、スリット状の開口部１１が形成されている。又、柱部材１、１間には、上下方向３箇所において、水平連結部材１３、１３、１３が設置されている。これら各水平連結部材１３は、柱部材１、１の外側からねじ込まれたねじ部材１５によって固定されている。一対の柱部材１、１は、これら水平連結部材１３、１３、１３によって一体化されている。   
【００１１】
上記水平部９の下面には、寸法調整用のアジャスタ部材１７、１７が取り付けられている。これらアジャスタ部材１７、１７を適宜回転させることにより、水平部９と床面１９との間の隙間をなくすようにするものである。
【００１２】
上記転倒防止具５であるが、柱部材１内に上端開口部から差し込まれていて、出没可能に取り付けられている。そして、固定ねじ部材１９を緩めることにより、上方に引き出してその上端を天井に押し当てる。その状態で固定ねじ部材１９を締めることにより固定するものである。
【００１３】
上記柱部材１、１には、支持構造物としての棚支持構造物２１が任意の個所に着脱可能に取り付けられている。
尚、図１では、棚支持構造物２１を一箇所のみに取り付けているが、実際には任意の複数箇所に取り付けられているものである。
上記棚支持構造物２１は、一対の前方張出部材２３、２３から構成されている。
【００１４】
又、上記前方張出部材２３の基端部には取付金具２７が取り付けられている。上記取付金具２７は、図２に示すような形状をなしていて、その横断面形状がＬ字型をなしている。又、取付金具２７の下端には差込片２９が設けられていて、この差込片２９は下方に突出した係合部３１を備えている。そして、上記差込片２９を柱部材１側の開口部１１に差し込む。差込片２９を差し込んだ後は、前方張出部材２３を含む全体が自重により下方に移動し、それによって、係合部３１が開口部１１の縁部に係合することになる。
【００１５】
上記取付金具２７の上端部にはスリット状の開口部３３が形成されている。この開口部３３は、柱部材１側に設けられている開口部１１と同じ大きさのものである。
【００１６】
又、図３に示すように、ロック部材３５があり、このロック部材３５は、操作部３７と、差込部３９とから構成されている。上記差込部３９は、略半円形状をなしていて、その両端には係合部４１、４３が夫々形成されている。このような構成をなすロック部材３５の上記差込部３９を、取付金具２７の開口部３３と柱部材１側の開口部１１内に差し込む。そして、図４に示すように、操作部３７を把持して９０°だけ回転させて自重によって下方に移動させる。それによって、係合部４１、４３が開口部１１の上下の縁部に係合して、その抜けが防止された状態となる。
【００１７】
以上の構成を基にその作用を説明する。
まず、組立時であるが、一対の柱部材１、１を、３本の連結部材１３、１３、１３によって連結する。
次に、必要個所に棚支持構造物２１の一対の前方張出部材２３、２３を取り付ける。その場合には、図２、図３に示すように、取付金具２７の差込片２９を開口部１１内に差し込む。
次に、図４に示すように、ロック部材３５の差込部３９を開口部３３、１１内に差し込む。そして、操作部３７を把持して９０°回転させる。それによって、係合部４１、４３が開口部１１の上下の縁に係合する。
【００１８】
上記のような作業を左右の両側において施すことにより、棚支持構造物２１の一対の前方張出部材２３、２３を柱部材１、１に取り付けることができる。同様の作業を別の任意の場所でも実施して、棚支持構造物２１を所望の個所に取り付けるものである。
【００１９】
後は、棚支持構造物２１上に図示しない棚やキャビネット等を載置・固定すると共に、転倒防止具５によって天井に対する固定を行い、且つ、アジャスタ部材１７によって床面との隙間をなくす作業を行う。
尚、棚の場合には事前に棚支持構造物２１に取り付けておき、その後、柱部材１、１に取り付けるようにしても良い。
以上の作業によってラックの組立作業が完了する。
尚、分解作業は上記組立作業の逆の手順で行えば良い。
【００２０】
以上本実施の形態によると次のような効果を奏することができる。
まず、比較的簡単な構成で分解・組立可能なラックを得ることができる。特に、棚支持構造物２１を柱部材１、１に対して着脱するための構成が特徴的であり、左右方向に大きく突出することがない簡単な構成で所望の着脱構造を得ることができる。
又、多少の寸法誤差や歪みがあっても問題はない。これについて若干説明を加えると、取付金具２７の差込片２９を開口部１１内に差し込んだ状態で、開口部３３と開口部１１との間に若干の位置ずれがあっても、別部材として設けられたロック部材３５の差込による取付・固定にはそれ程影響はない。これに対して、仮に、取付金具２７の上下において差込片２９が一体に設けられているような構成を想定すると、開口部３３、１１の位置ずれ等の影響を受けてしまって、取付・固定に困難を要することになってしまう。本実施の形態の場合には、上部を別部材として設けられたロック部材３５によって取付・固定する構成であるので、そのような位置ずれの影響をそれ程受けることなく比較的容易に取付・固定することができる。
又、左右方向に柱部材１の数を増加させていくと共に、そのようなものにおいて、棚支持構造物２１を適宜取り付けて、棚や収納ケースを設置・固定していくことができるものである。
【００２１】
次に、図５を参照して本発明の第２の実施の形態を説明する。前記第１の実施の形態の場合には、２本の柱部材１、１を使用したラックを例に挙げて説明したが、この第２の実施の形態の場合には、３本の柱部材１、１、１を使用したラックを示すものである。
【００２２】
図５に示す場合には、４箇所において、棚支持構造物２１、２１、２１、２１が取り付けられており、そこには、棚５１、５１、５１、キャビネット５３が載置・固定されている。又、左右の柱部材１、１の間には、別のキャビネット５５が配置されていて、このキャビネット５５の下面には移動用キャスタ５７が取り付けられている。又、このキャビネット５５の上にはテレビ５９が載置されている。
図中符号５８は床面であり、６０は天井である。
【００２３】
このような構成をなす第２の実施の形態の場合も、前記第１の実施の形態の場合と同様の効果を奏することができるものである。
又、このような構成の場合、各柱部材１に二列にわたって所定のピッチで設けられている開口部１１において、何れかの列を適宜使用すれば良い。
【００２４】
次に、図５、 図６を参照して本発明の第３の実施の形態を説明する。この第３の実施の形態の場合には、キャビネットの別の取付構造を示すものである。図６に示すように、キャビネット６１の背面側であって上端には取付金具６３が支持構造物としての支持板６２を介して２本のネジ部材６５によって固定されている。上記取付金具６３の下端には差込片６７が設けられていて、該差込片６７には係合部６９が設けられている。この差込片６７を柱部材１側の開口部１１内に差し込んで自重で落下させることにより、係合部６９を開口部１１の下端縁部に係合させる。
【００２５】
上記取付金具６３の上端には開口部７１が形成されている。この開口部７１と柱部材１側の開口部１１を重ねた状態で、ロック部材７３を差し込む。上記ロック部材７３は、操作部７５と、差込部７７とから構成されていて、差込部７７には係合部７９が形成されている。上記ロック部材７３の差込部７７を開口部７１、１１に差し込んで、操作部７５を把持して９０°回転させると共に自重により落下させる。それによって、差込部７７の係合部７９、８１が開口部１１の上下の縁部に係合してその抜けを防止することになる。
【００２６】
一方、キャビネット６１の背面側であって下端には別の取付金具９１が固定ねじ部材９３によって固定されている。上記取付金具９１には差込片９５が設けられていて、該差込片９５には係合部９７が設けられている。上記差込片９５を開口部１１内に差し込む。後は自重で落下することにより、係合部９７が開口部１１の縁部に係合することになる。
【００２７】
この場合には次のような手順で取り付ける。まず、取付金具６３をキャビネット６１の背面側上端に２本の固定ネジ部材６５によって固定しておく。次に、取付金具９１を柱部材１の開口部１１内に差し込む。次に、キャビネット６１を保持した状態で、取付金具６３の差込片６７を開口部１１内に差し込んで自重で落下させると共にロック部材７３の差込部７１を開口部７１、１１内に差し込んで９０°回転させて固定する。そして、最後に、キャビネット６１の下端を取付金具９１に対して固定ネジ部材９３によって固定するものである。
尚、図５において、図中右側に示すキャビネット６１が、図６に示すキャビネットである。
【００２８】
尚、本発明は前記第１、第２の実施の形態に限定されるものではない。
例えば、柱部材の個数は３個以上の場合も想定される。
棚支持構造物の個数、幅等についても適宜設定すればよい。
その他、図示した構成はあくまで例である。
【産業上の利用可能性】
【００２９】
本発明はラックに係り、特に、簡単な構成で分解・組立ができ、且つ、十分な機械的強度を得ることができるように工夫したものに関し、各種の棚やキャビネットを支持するためのラックとして好適である。
【図面の簡単な説明】
【００３０】
【図１】本発明の第１の実施の形態を示す図で、ラックの全体の構成を示す斜視図である。
【図２】本発明の第１の実施の形態を示す図で、棚支持構造物の柱部材への着脱の構造を順次示す図で、取付金具の差込片を柱部材の開口部内に差し込む様子を示す斜視図である。
【図３】本発明の第１の実施の形態を示す図で、棚支持構造物の柱部材への着脱の構造を順次示す図で、ロック部材を取付金具の開口部と柱部材の開口部内に差し込む様子を示す斜視図である。
【図４】本発明の第１の実施の形態を示す図で、棚支持構造物の柱部材への着脱の構造を順次示す図で、差し込んだロック部材を回転させる様子を示す斜視図である。
【図５】本発明の第２の実施の形態を示す図で、ラックの全体の構成を示す斜視図である。
【図６】本発明の第３の実施の形態を示す図で、キャビネットを取り付ける為の取付金具を示す斜視図である。
【符号の説明】
【００３１】
１  柱部材
１１  開口部
２５  棚支持構造物
２７  取付金具
２９  差込片
３３  開口部
３５  ロック部材
【図１】
2005296183.tif 000003
【図２】
2005296183.tif 000004
【図３】
2005296183.tif 000005
【図４】
2005296183.tif 000006
【図５】
2005296183.tif 000007
【図６】
2005296183.tif 000008